(57)【要約】本発明は、吸湿服部と、胸部用ストラップとを含む愛玩動物用おむつ服について述べられている。その吸湿服および胸部用ストラップは、確実にかつ快適に動物に装着するように個別調整され得る。【特許請求の範囲】
【請求項１】
動物の胴を取り囲む吸湿服であって、背部と、前部と、上部を形成するように結合する伸縮性のある側部とを有し、該背部は使用者がテールの開口を位置付け、作ることができることに対し有効な目打ちを含む吸湿服と、
二つのストラップ部に分けられる胸部用ストラップであって、前記吸湿服の前部に取り付けられる単一のストラップ部を含み、該単一のストラップ部は、該胸部用ストラップが二つのストラップ部に分けられることを可能とする目打ちを含み、該動物の前部のまわりに伸張し、前記吸湿服の上部と接続する胸部用ストラップと、
を含んでなる愛玩動物用おむつ服。
【請求項２】
前記吸湿服は、該服を前記動物にさらに固定することに対し有効な伸縮性のウエストバンドを含む請求項１記載の愛玩動物用おむつ服。
【請求項３】
前記吸湿服は、前記上部を形成するように結合する伸縮性のある側部を含み、該側部は、前記動物に該吸湿服を載置可能とするように分けられ得る請求項１記載の愛玩動物用おむつ服。
【請求項４】
前記胸部用ストラップは、前記動物の首を取り囲むことに対し有効である二つのストラップ部に分けられる請求項１記載の愛玩動物用おむつ服。
【請求項５】
前記二つのストラップ部は、前記動物の首を取り囲み、前記吸湿服の上部に接続する単一のストラップに再結合する請求項１記載の愛玩動物用おむつ服。
【請求項６】
前記単一のストラップ部は、前記前部の全幅に取り付けられる請求項１記載の愛玩動物用おむつ服。
【請求項７】
前記胸部用ストラップ部は、前記吸湿服から取り外し可能である請求項１記載の愛玩動物用おむつ服。
【請求項８】
愛玩動物からの排泄物を収容する方法において、
動物の胴を、目打ちを含む背部と、前部と、上部を形成するように結合する伸縮性のある側部とを有する吸湿服で取り囲み、
前記吸湿服の背部における目打ちにより、テール用開口を配置し、かつ、作り、該動物のテールの回りに該背部を位置決めし、
前記吸湿服を、二つの部分に分けられ該動物の首および前部の回りに伸張される胸部用ストラップで該動物に固定し、
前記胸部用ストラップを前記吸湿服の上部に接続することを含んでなる方法。
【請求項９】
前記吸湿服は、該服を前記動物にさらに固定することに対し有効な伸縮性のウエストバンドを含む請求項８記載の方法。
【請求項１０】
前記吸湿服は、前記上部を形成するように結合する伸縮性のある側部を含み、該側部は、前記動物に該吸湿服を載置可能とするように分けられ得る請求項８記載の方法。
【請求項１１】
前記二つのストラップ部は、前記動物の首を取り囲み、前記吸湿服の上部に接続する単一のストラップに再結合する請求項８記載の方法。
【請求項１２】
前記二つのストラップ部は、単一のストラップとして再結合される以前にさらにコネクタで固定される請求項１１記載の方法。
【請求項１３】
前記胸部用ストラップ部は、前記吸湿服から取り外し可能である請求項８記載の方法。
【請求項１４】
動物の胴を取り囲む吸湿服であって、背部と、前部と、上部を形成するように結合する伸縮性のある側部とを有し、該背部は使用者がテールの開口を位置付け、作ることができることに対し有効な目打ちを含む吸湿服と、
二つのストラップ部に分けられる胸部用ストラップであって、前記吸湿服の前部における全幅に取り付けられる単一のストラップ部を含み、該単一のストラップ部は、該胸部用ストラップが二つのストラップ部に分けられることを可能とする目打ちを含み、該動物の前部のまわりに伸張し、前記吸湿服の上部と接続する胸部用ストラップと、
を含んでなる愛玩動物用おむつ服。
【請求項１５】
前記吸湿服は、該服を前記動物にさらに固定することに対し有効な伸縮性のウエストバンドを含む請求項１４記載の愛玩動物用おむつ服。
【請求項１６】
前記吸湿服は、前記上部を形成するように結合する伸縮性のある側部を含み、該側部は、前記動物に該吸湿服を載置可能とするように分けられ得る請求項１４記載の愛玩動物用おむつ服。
【請求項１７】
前記胸部用ストラップは、前記動物の首を取り囲むことに対し有効である二つのストラップ部に分けられる請求項１４記載の愛玩動物用おむつ服。
【請求項１８】
前記二つのストラップ部は、前記動物の首を取り囲み、前記吸湿服の上部に接続する単一のストラップに再結合する請求項１４記載の愛玩動物用おむつ服。
【請求項１９】
前記単一のストラップを固定および調整することに対し有効なコネクタをさらに含む請求項１８記載の愛玩動物用おむつ服。
【請求項２０】
前記胸部用ストラップ部は、前記吸湿服から取り外し可能である請求項１４記載の愛玩動物用おむつ服。
【発明の詳細な説明】
【技術分野】
【０００１】
本発明は、愛玩動物用おむつ服に関する。さらに詳細には、愛玩動物用おむつ服は、個別調整可能なテール用開口、および、確実にかつ快適に動物に合うようにその服が容易に個別調整可能とされることに対し有効な個別調整可能な胸部用ストラップを含む。
【背景技術】
【０００２】
犬および猫のような愛玩動物は、高齢または病状の結果として、排泄物、特に尿の排泄を恒久的または一時的に制御できないことを示し、家庭内、自動車内等において数多く、解決が難しい「災難」に結びつくこととなる。同様な状況は、愛玩動物に行われた特有の形態の外科手術の後、動物病院、その後、家庭内で起こり得る。また、この種の災難は、大変若い動物、特に訓練期間中の犬にも共通している。そのような状況の他に、家庭内に長期間世話しないでほうって置かれる犬、または、すぐに外部に近づくことができないアパートに居住している人により飼われている犬などのように、この種の災難を防止する手段が望ましい他の事例がしばしばある。
【発明の開示】
【発明が解決しようとする課題】
【０００３】
多くの愛玩動物用おむつは、入手できる。しかしながら、これらのおむつは、動物に確実にぴったり合わないので非常に役に立たない傾向がある。例えば、愛玩動物用おむつが小さいテールを有する動物に適用された場合、そのテールとテール用の穴との隙間が、大きすぎる傾向がある。その隙間により、固形および液状の排泄物が漏れ得る。多くの場合、愛玩動物用おむつは、隙間を形成し、場合によっては、動物から落ちる。おむつがサスペンダー、または、ベルトで動物に固定されるものがいくつかある。そのサスペンダーは、サスペンダーが必ずしも動物の体形に合っていないので使い心地の悪く、または、望ましい確実な固定をもたらさない場合がある。
【課題を解決するための手段】
【０００４】
本発明は、年齢または病気による失禁の問題を有した犬、猫のような四つ足の飼いならされた動物、または、二つ足の動物で使用する愛玩動物用おむつ服について述べられている。また、そのおむつ服は、動物が長時間ほっておかれる場合、または、その動物が未だ訓練されており、雌犬の発情期の場合に起こり得る事故を防止するために使用され得る。また、その愛玩動物用おむつ服は、妊娠を回避するための物的障壁としての使用に対し有効である。その服は、使用者により服が動物に確実にかつ快適にぴったり合うように容易に個別調整され得るものであるので特に有効である。
【０００５】
愛玩動物用おむつは、動物の胴を取り囲む吸湿服部と、吸湿服を動物に固定するために助けとなる胸部用ストラップとを含んでいる。その吸湿服部は、動物の後部を覆う吸湿パッドを有する背部と、動物の腹部を覆う吸湿パッドを有する前部と、上部を形成するように背部と前部とを接続する伸縮性のある側部とを含んでいる。また、吸湿服部は、吸湿服部を動物に固定することに対し有効な伸縮性のウエストバンドを含んでもよい。
【０００６】
吸湿服部の背部は、使用者が動物のテールの基部で個別調整されるテールの開口を容易に位置付け、作ることができることに対し有効な目打ちを含む。その個別調整されるテールの開口は、動物のテールを収容し、動物により大きな快適さをもたらし、排泄物が漏れるであろう可能性を低下させる。
【０００７】
本発明の一形態において、吸湿服部は、一体成型として形成され得る。この形態において、その吸湿服部は、動物の脚を脚用の開口に挿入し、それから、動物の胴のまわりに吸湿服を引き寄せることにより、着せられ得る。開口は、動物のテールの位置に合った背部の目打ちを開くことにより、吸湿服の背部に形成され得る。
【０００８】
本発明の他の形態において、吸湿服部は、その伸縮性のある側部が結合されるその上部に沿って開く。この形態において、吸湿服部は、動物の脚を脚用の開口に挿入し、それから、動物の胴のまわりに吸湿服を引き寄せ、上部を形成するように側部と一緒に固定することにより、動物に着せられる。上部に沿った開口は、背部および側部が閉じられ動物のテールを確実に取り囲むように背部における目打ちを開くことにより、伸張され得る。
【０００９】
また、愛玩動物用おむつ服は、吸湿服を動物に固定するために助けとなる胸部用ストラップを含んでいる。その胸部用ストラップは、吸湿服の前部に取り付けられる単一のストラップ部を含んでいる。その胸部用ストラップは、ストラップが二つの部分に分けられることを可能とする目打ちを含んでいる。その二つの分かれた部分は、動物の首、および前部のまわりに伸張し、吸湿服の背部に接続し得る。本発明の代替的な形態において、胸部用ストラップは、動物の首部を取り囲むように分かれ、それから、二つの部分で吸湿服の背部と接続し、または、胸部用ストラップは、動物の首部を取り囲み、それから吸湿服の背部に接続した後、再結合する。胸部用ストラップは、さらに吸湿服部を動物に確実に固定する助けとなるように伸縮性材料で形成され得る。
【００１０】
また、本発明は、愛玩動物からの排泄物を収容する方法をもたらす。その方法によれば、本発明の吸湿服が動物の胴に取り巻かれる。テール用開口は、吸湿服の背部における目打ちにより、配置され作り出される。その背部は、動物のテールのまわりに位置決めされる。さらに、吸湿服は、胸部用ストラップで動物に固定される。その胸部用ストラップは、ふたつの部分に分けられ、動物の首および前部のまわりに伸張される。それから、その胸部用ストラップは、吸湿服の上部に接続される。
【発明を実施するための最良の形態】
【００１１】
本発明は、愛玩動物にとって気分を悪くさせることなく、また、邪魔な物として愛玩動物により感じられることなく愛玩動物の身体に確実に装着する家庭の愛玩動物用おむつ服をもたらす。その確実な装着は、吸湿服における個別調整可能なテール用開口と個別調整可能な胸部用ストラップとの組み合わせにより助けられる。
【００１２】
吸湿服
図１および図２に示されるように、本発明の愛玩動物用おむつ服１０は、吸湿服２０を含んでいる。吸湿服２０は、背部３０と、前部４０と、上部６０（図３に示される）を形成するように接合する伸縮性の側部５０とを含んでいる。背部３０は、背部の目打ち７０を含み得る。また、吸湿服２０は、周囲に配された弾性材料９０により少なくとも部分的に形成され得る脚用の開口８０を含んでいる。また、吸湿服２０は、伸縮性のあるウエストバンド１００を含んでいる。重要な側面において、吸湿服２０は、ベルトを含んでいないものである。本明細書中において、「ベルト無し」とは、吸湿服２０が伸縮性のあるウエストバンドを含んでいないことではなく、それは吸湿服２０から取り外し可能であるという意味である。
【００１３】
背部３０および前部４０は、一体型の単一材料で形成され得るものであり、または、同一の材料または異なる材料で作られ得る個別の背部３０と前部４０とを組み合わせて取り付けることにより形成されてもよい。吸湿服２０は、動物のわき腹部分に係合するようになっている伸縮性の側部５０を含んでいる。側部５０は、他のものから一つの部品に分離でき、背部３０および前部４０の各端部に取り付けられる。側部５０は、背部３０および前部４０を作るとき使用される材料と同一または異なる材料で作られ得る。側部５０は、同時に呼吸、または他の通常の身体の運動を妨げないように適切に拡大できながら、その動物のわき腹に沿ってぴったりフィットするように伸縮性を有する材料で作られる。
図６に示されるように、吸湿服２０は、背部に沿って開口し得る。側部５０は、「ベルクロ（Ｖｅｌｃｒｏ）」ような接続により結合され、その吸湿服を動物に固定し、動物のテールの回りに固定され個別調整された装着をもたらす。
【００１４】
吸湿服２０は、その動物からの液状排泄物を吸収するために有効である、または、固形排泄物を入れるために有効であるその内面に位置決めされる吸湿材料を含んでいる。吸湿服２０は、不織布で作られた浸透性のインナーシートと、合成樹脂で作られた防水性のアウターシートと、そのインナーシートとアウターシートとの間に位置決めされた吸湿材料とを含んでもよい。
【００１５】
本発明の一側面において、吸湿服２０は、胸部用ストラップ１１０から完全に取り外し可能である。代替的には、吸湿服２０は、胸部用ストラップ１１０に恒久的に取り付けられてもよい。この形態において、吸湿服２０は、取り外し可能な吸湿パッドを含み得る。
【００１６】
胸部用ストラップ
図１および図２に示されるように、本発明の愛玩動物用おむつ服１０は、胸部用ストラップ１１０を含んでいる。胸部用ストラップ１１０は、前部４０に接続される第１の単一のストラップ部１２０を含んでいる。一実施例において、第１の単一のストラップ部１２０は、前部４０の全幅に接続し得る（図４）。代替的な形態においては、ストラップ１２０におけるより小さい部分が、その前部の全幅より小さい前部４０の一部に取り付けられてもよい。単一のストラップ１２０は、例えば、縫い合わせなどにより前部４０に恒久的に取り付けられ得る。代替的に、その単一のストラップは、例えば、ベルクロ（Ｖｅｌｃｒｏ）などにより、同様に前部１２０に取り外し可能に取り付けられ得る。第１の単一ストラップ部１２０は、ストラップ用目打ち１３０を含んでいる。目打ち１３０により、単一のストラップ部１２０が個々のストラップ１４０、即ち、ショルダーストラップに分けることが可能とされる。図２に示される本発明の代替的な形態において、個々のストラップ部１４０、即ち、ショルダーストラップは、再結合し、第２の単一のストラップ部１５０を形成し、頭部用開口１６０を形成し得る。図５に示されるように、単一のストラップ部１５０は、例えば、ベルクロなどのコネクタにより吸湿服２０と再結合され得る。
【００１７】
図７に示されるように、胸部用ストラップ１１０のショルダーストラップ１４０は、コネクタ２００で再結合され、吸湿服２０に接続するように延在し得る。コネクタ２００は、その技術において知られた如何なる形式のコネクタであってもよい。
【００１８】
布地
本発明の試作品においてうまく使用されたことがあり、不可欠な伸縮性を有する織物のような材料のひとつとしては、デミキュ「ＤｅＭｉｑｕｅ」（ウィスコンシン州、キンバリークラーク社の商標、弾性不織布用）と呼ばれる物質、即ち、デミキュプロセスにより製造された物質が了解されるだろう。不快のないおむつ服の確実な固定は、好ましい実施例において、その脚用の開口およびテール用の開口のための外周の伸縮性のある材料の使用によりさらに助けられる。
【００１９】
他の形態において、愛玩動物用おむつ服に使用される布地は、４方向伸縮性（ｆｏｕｒ−ｗａｙ  ｓｔｒｅｔｃｈ）材料を含む。その４方向伸縮性材料は、密な織り方を含み、４方向伸縮性布地は、約７５％から約８５％までのナイロン繊維と、約１５％から約２５％までのスパンデックス（ｓｐａｎｄｅｘ）即ち、エラステン（ｅｌａｓｔａｎｅ）のようなセグメント化ポリウレタン繊維とを含む約８オンスのトリコット織物からなる。この合成品は、約２２０％の最大引張りにより、長手方向に約９０％から１２０％までの弾性伸縮係数を生じ、約２００％の最大引張りにより、長手方向に約６０％から１００％までの弾性伸縮係数を生じる。本発明の代替的な形態において、ポリエステル繊維が、ナイロン繊維の代わりに代用され得る。この繊維の伸縮性により、そのおむつ服が容易にその動物に装着可能、かつ、その動物から取り外し可能とされ、また、その動物の実質的な運動の自由を可能とする。さらに、繰り返される洗濯、および、継続的な装着後、この繊維が、その形状を保持する。
【００２０】
本発明の代替的な形態において、その防護服は、他の物質の比率が残存している状態でラッシェル（Ｒａｓｃｈｅｌ）のような織り方を含み得る。
【００２１】
コネクタ
本発明における他の重要な形態において、そのおむつ服は、留め具、例えば、示されるように位置決めされる「ベルクロ」（商標）で販売されているファスナーのようなマジックテープ（登録商標）で閉じる。図７に示されるように、胸部用ストラップ１１０のショルダーストラップ１４０は、コネクタ２００で調整自在に結合され得る。コネクタ２００は、例えば、サスペンダーストラップ、およびS型ストラップなどのようなストラップを結合または拘束するためにその技術において知られた何れのコネクタであってもよい。
【００２２】
本発明の実施において、多数の変更および変形が、本発明の上述の詳細な説明を考慮して当業者により起こると予想される。従って、そのような変更および変形は、後述の請求の範囲の範囲内に含まれることを意図している。
【００２３】
愛玩動物用おむつ服の使い方
本発明における愛玩動物用おむつは、小さいサイズ、中位のサイズ、大きいサイズのようないくつかの異なるサイズ区分で提供され得る。それらの一般的なサイズ区分内でそのおむつ服は、さらにそれらのサイズ区分内で動物にぴったり合うように個別調整され得る。その愛玩動物用おむつ服の設計により、おむつ服が容易にかつ便利に動物に着せられ、かつ、脱がされることが可能となる。
【００２４】
その愛玩動物用おむつ服は、動物の胴のまわりに吸湿服２０を包囲することによりその動物に配される。その動物の脚は、脚用の開口８０の中に配され、テール用開口が、背部３０における目打ち７０を押し抜くことにより作られる。それから、その動物のテールは、目打ち７０により作られた開口内に挿入され得る。
【００２５】
吸湿服２０が背部に沿って開く代替的な形態において、吸湿服２０は、動物の胴のまわりに固定される。また、その吸湿服は、そのテールのまわりに位置決めされ、それから、その服の上部に沿って固定される。
【００２６】
吸湿服２０がその動物に配されたならば、胸部用ストラップ１１０が、動物の胸に沿って伸張され、動物の頭および首の両側のまわりに位置決めされ、吸湿服２０に接続するように動物の背中に沿って伸張される。吸湿服２０は、胸部用ストラップ１１０を吸湿服２０から取り外し、その動物から吸湿服を取り外すことにより、その動物から取り外され得る。
【図面の簡単な説明】
【００２７】
【図１】愛玩動物用服の構成要素を示す。
【図２】愛玩動物用服の構成要素を示す。
【図３】その愛玩動物用服を着けている犬の側面図である。
【図４】その愛玩動物用服を着けている犬の底面図である。
【図５】その愛玩動物用服を着けている犬の上面図である。
【図６】その愛玩動物用服を着けている犬の上面図である。
【図７】その愛玩動物用服を着けている犬の背面図である。
【図１】
2006525020.tif 000002
【図２】
2006525020.tif 000003
【図３】
2006525020.tif 000004
【図４】
2006525020.tif 000005
【図５】
2006525020.tif 000006
【図６】
2006525020.tif 000007
【図７】
2006525020.tif 000008
【国際調査報告】
2006525020.tif 000009
2006525020.tif 000010